(57)【要約】【課題】受信電界強度が最大となるアンテナの方向を容易、迅速かつ精度よく探し出す。【解決手段】アンテナ１２が所定方向のときにスイッチ３２を非導通にする。このとき、ＰＬＬ２０が非作動状態となり、ＶＣＯ２４から出力される音響信号の周波数は、アンテナ１２が所定方向のときにＶＣＯ２２が出力した音響信号の周波数に固定される。この状態でアンテナ１２の方向を所定方向から変化させると、ＶＣＯ２２とＶＣＯ２４とで出力される音響信号の周波数が異なってくるため、うなり音が発生する。作業者は、所定方向とうなり音が略発生しない方向との中央方向を受信電界強度が最大となる方向と判断してアンテナ１２の方向を調整する。【選択図】　　　　図１
2004015503.tif 000002
【特許請求の範囲】
【請求項１】
アンテナの方向を受信電界強度が略最大となる方向に調整するための調整器であって、
受信電界強度を示す信号が入力され、受信電界強度に応じた周波数の音響信号を出力する第１の発振手段と、
アンテナの所定方向において第１の発振手段が出力した音響信号と略同一の周波数の音響信号を出力する第２の発振手段と、
第１の発振手段及び第２の発振手段からの音響信号を音圧に変換して出力する音響変換手段と、
を備え、
第１の発振手段及び第２の発振手段からの音響信号によるうなり音が略発生しない方向に基づいてアンテナの方向を調整することを特徴とするアンテナ方向調整器。
【請求項２】
請求項１に記載のアンテナ方向調整器であって、
前記第２の発振手段は、
前記第１の発振手段からの音響信号が入力され、出力する音響信号の周波数を前記第１の発振手段からの音響信号の周波数に一致させるように制御するＰＬＬ手段と、
該ＰＬＬ手段の作動／非作動を切り換え、非作動時には該ＰＬＬ手段が出力する音響信号の周波数を非作動への切り換え時における周波数に固定する切り換え手段と、
を有し、
前記第２の発振手段は、アンテナの所定方向において前記ＰＬＬ手段を前記切り換え手段により作動から非作動に切り換えることで、アンテナの所定方向において第１の発振手段が出力した音響信号と略同一の周波数の音響信号を出力することを特徴とするアンテナ方向調整器。
【請求項３】
請求項１に記載のアンテナ方向調整器であって、
作動時には受信電界強度を示す信号のピーク値を保持して前記第１の発振手段へ出力し、非作動時には受信電界強度を示す信号を前記第１の発振手段へ出力するピークホールド手段を備え、
前記第２の発振手段は、
前記第１の発振手段からの音響信号が入力され、出力する音響信号の周波数を前記第１の発振手段からの音響信号の周波数に一致させるように制御するＰＬＬ手段と、
該ＰＬＬ手段の作動／非作動を切り換え、非作動時には該ＰＬＬ手段が出力する音響信号の周波数を非作動への切り換え時における周波数に固定する切り換え手段と、
を有し、
前記第２の発振手段は、前記ピークホールド手段の作動時において前記ＰＬＬ手段を前記切り換え手段により作動から非作動に切り換えることで、受信電界強度が最大となるアンテナの方向において第１の発振手段が出力した音響信号と略同一の周波数の音響信号を出力し、
前記ピークホールド手段の非作動時において第１の発振手段及び第２の発振手段からの音響信号によるうなり音が略発生しない方向に基づいてアンテナの方向を調整することを特徴とするアンテナ方向調整器。
【請求項４】
請求項１に記載のアンテナ方向調整器であって、
前記第２の発振手段は、アンテナの所定方向において前記第１の発振手段に入力された受信電界強度を示す信号を記憶する記憶手段を有し、該記憶手段に記憶された信号に基づいてアンテナの所定方向において第１の発振手段が出力した音響信号と略同一の周波数の音響信号を出力することを特徴とするアンテナ方向調整器。
【発明の詳細な説明】
【０００１】
【発明の属する技術分野】
本発明は、パラボラアンテナのような狭指向性を有するアンテナの方向を調整するためのアンテナ方向調整器に関する。
【０００２】
【従来の技術】
アンテナ方向調整は、受信電界強度が最大となるアンテナの方向を探すのが一般的である。従来のアンテナ方向調整器の一例としては、受信電界強度に応じた周波数の発振音を出力し、アンテナ方向を変化させたときの発振音の周波数の高低を作業者が耳で判断して発振音の周波数が最も高い（または最も低い）アンテナ方向を探し出すことで、受信電界強度が最大となるアンテナ方向を探し出す調整器が知られている。この従来のアンテナ方向調整器においては、作業者が受信電界強度のモニタ値を目視する代わりに、受信電界強度に応じた発振音の周波数の変化を耳で判断しながらアンテナ方向調整作業を行うため、作業者がアンテナ方向調整作業から目を離すことがなく、アンテナ方向調整作業に集中できる利点がある。
【０００３】
【発明が解決しようとする課題】
一般的に、受信電界強度が最大となるアンテナ方向付近においては、アンテナの指向特性によりアンテナ方向の変化に対する受信電界強度の変化は緩やかであるため、発振音の周波数変化も緩やかである。したがって、この従来のアンテナ方向調整器においては、受信電界強度が最大となるアンテナ方向付近では発振音の周波数の高低を作業者が耳で正確に判断することは困難であるため、受信電界強度が最大となるアンテナの方向を精度よく探し出すことが困難であるという課題があった。
【０００４】
本発明は上記課題に鑑みてなされたものであり、受信電界強度が最大となるアンテナの方向を容易、迅速かつ精度よく探し出すことができるアンテナ方向調整器を提供することを目的とする。
【０００５】
【課題を解決するための手段】
このような目的を達成するために、第１の本発明に係るアンテナ方向調整器は、アンテナの方向を受信電界強度が略最大となる方向に調整するための調整器であって、受信電界強度を示す信号が入力され、受信電界強度に応じた周波数の音響信号を出力する第１の発振手段と、アンテナの所定方向において第１の発振手段が出力した音響信号と略同一の周波数の音響信号を出力する第２の発振手段と、第１の発振手段及び第２の発振手段からの音響信号を音圧に変換して出力する音響変換手段と、を備え、第１の発振手段及び第２の発振手段からの音響信号によるうなり音が略発生しない方向に基づいてアンテナの方向を調整することを特徴とする。
【０００６】
このように、アンテナの所定方向において第１の発振手段が出力した音響信号と略同一の周波数の音響信号を出力する第２の発振手段を備え、第１の発振手段及び第２の発振手段からの音響信号によるうなり音が略発生しない方向に基づいてアンテナの方向を調整している。ここで、うなり音については、その周波数の高低を非常に精度よく判断することができる。したがって、うなり音が略発生しないアンテナ方向を探し出すことで、受信電界強度が最大となるアンテナの方向を容易、迅速かつ精度よく探し出すことができる。
【０００７】
第２の本発明に係るアンテナ方向調整器は、第１の本発明に記載の調整器であって、前記第２の発振手段は、前記第１の発振手段からの音響信号が入力され、出力する音響信号の周波数を前記第１の発振手段からの音響信号の周波数に一致させるように制御するＰＬＬ手段と、該ＰＬＬ手段の作動／非作動を切り換え、非作動時には該ＰＬＬ手段が出力する音響信号の周波数を非作動への切り換え時における周波数に固定する切り換え手段と、を有し、前記第２の発振手段は、アンテナの所定方向において前記ＰＬＬ手段を前記切り換え手段により作動から非作動に切り換えることで、アンテナの所定方向において第１の発振手段が出力した音響信号と略同一の周波数の音響信号を出力することを特徴とする。
【０００８】
このように、第２の発振手段は、出力する音響信号の周波数を第１の発振手段からの音響信号の周波数に一致させるように制御するＰＬＬ手段を有しているので、第２の発振手段はアンテナの所定方向において第１の発振手段が出力した音響信号と同一の周波数の音響信号を非常に精度よく出力することができる。したがって、受信電界強度が最大となるアンテナの方向をさらに精度よく探し出すことができる。
【０００９】
第３の本発明に係るアンテナ方向調整器は、第１の本発明に記載の調整器であって、作動時には受信電界強度を示す信号のピーク値を保持して前記第１の発振手段へ出力し、非作動時には受信電界強度を示す信号を前記第１の発振手段へ出力するピークホールド手段を備え、前記第２の発振手段は、前記第１の発振手段からの音響信号が入力され、出力する音響信号の周波数を前記第１の発振手段からの音響信号の周波数に一致させるように制御するＰＬＬ手段と、該ＰＬＬ手段の作動／非作動を切り換え、非作動時には該ＰＬＬ手段が出力する音響信号の周波数を非作動への切り換え時における周波数に固定する切り換え手段と、を有し、前記第２の発振手段は、前記ピークホールド手段の作動時において前記ＰＬＬ手段を前記切り換え手段により作動から非作動に切り換えることで、受信電界強度が最大となるアンテナの方向において第１の発振手段が出力した音響信号と略同一の周波数の音響信号を出力し、前記ピークホールド手段の非作動時において第１の発振手段及び第２の発振手段からの音響信号によるうなり音が略発生しない方向に基づいてアンテナの方向を調整することを特徴とする。
【００１０】
このように、作動時には受信電界強度を示す信号のピーク値を保持して第１の発振手段へ出力するピークホールド手段を備え、第２の発振手段は、出力する音響信号の周波数を第１の発振手段からの音響信号の周波数に一致させるように制御するＰＬＬ手段を有しているので、第２の発振手段は受信電界強度が最大となるアンテナの方向において第１の発振手段が出力した音響信号と同一の周波数の音響信号を非常に精度よく出力することができる。したがって、うなり音の発生しないアンテナ方向と受信電界強度が最大となるアンテナ方向とを一致させることができ、受信電界強度が最大となるアンテナの方向をさらに精度よく探し出すことができる。
【００１１】
第４の本発明に係るアンテナ方向調整器は、第１の本発明に記載の調整器であって、前記第２の発振手段は、アンテナの所定方向において前記第１の発振手段に入力された受信電界強度を示す信号を記憶する記憶手段を有し、該記憶手段に記憶された信号に基づいてアンテナの所定方向において第１の発振手段が出力した音響信号と略同一の周波数の音響信号を出力することを特徴とする。
【００１２】
【発明の実施の形態】
以下、本発明の実施の形態（以下実施形態という）を、図面に従って説明する。
【００１３】
（１）第１実施形態
本発明の第１実施形態に係る図１は全体構成のブロック図を示し、アンテナ１２、無線機１４及びアンテナ方向調整器１０を備えている。アンテナ１２によって受信された電波は無線機１４に入力される。無線機１４はアンテナ１２からの電波を検波して受信電界強度を示す電圧をアンテナ方向調整器１０へ出力する。
【００１４】
アンテナ方向調整器１０は、第１の発振手段としてのＶＣＯ２２、ＰＬＬ２０、加算器２６、アンプ１６及び音響変換手段としてのスピーカ１８を備えている。無線機１４からの受信電界強度を示す電圧はＶＣＯ２２に入力される。ＶＣＯ２２は、受信電界強度を示す電圧値に応じた周波数の音響信号を加算器２６及びＰＬＬ２０へ出力する。ＰＬＬ２０は、作動状態時にはＶＣＯ２２が出力する音響信号と同一の周波数の音響信号を加算器２６へ出力する。また、非作動状態時には非作動状態へ切り換える直前における周波数の音響信号を加算器２６へ出力する。ＶＣＯ２２及びＰＬＬ２０から出力された音響信号は加算器２６に入力されて加算され、この加算された音響信号はアンプ１６により増幅されてスピーカ１８から発振音として出力される。
【００１５】
ＰＬＬ２０は、ＶＣＯ２４、位相比較器２８、積分器３０、スイッチ３２、アンプ３４及びコンデンサ３６を備えている。ＶＣＯ２２及びＶＣＯ２４から出力される音響信号は位相比較器２８に入力される。位相比較器２８の出力はＶＣＯ２４の入力と接続されているが、その間の線路には積分器３０、スイッチ３２及びアンプ３４が設けられている。また、コンデンサ３６は、一端がスイッチ３２とアンプ３４との間の線路に接続され、他端は接地されている。スイッチ３２が導通のときは位相比較器２８の出力〜ＶＣＯ２４の入力間が導通となる。このとき、ＰＬＬ２０は作動状態となり、位相比較器２８はＶＣＯ２２とＶＣＯ２４とで出力信号の周波数差がなくなるようにＶＣＯ２４への入力電圧を制御することで、ＰＬＬ２０からはＶＣＯ２２が出力する音響信号と同一の周波数の音響信号が加算器２６へ出力される。一方、スイッチ３２が非導通のときは位相比較器２８の出力〜ＶＣＯ２４の入力間が非導通となる。このとき、ＰＬＬ２０は非作動状態となり、アンプ３４への入力電圧はコンデンサ３６によってスイッチ３２の非導通への切り換え時における電圧値に固定されることで、ＶＣＯ２４から出力される音響信号の周波数がスイッチ３２の非導通への切り換え時における周波数に固定される。このように、スイッチ３２及びコンデンサ３６によって、ＰＬＬ２０の作動／非作動を切り換え、かつＰＬＬ２０の非作動時にはＰＬＬ２０から出力する音響信号の周波数を非作動への切り換え時における周波数に固定する切り換え手段を構成することができる。
【００１６】
次に本実施形態の動作について説明する。まずスイッチ３２を導通にしてアンテナ１２の方向を左右に変化させる。このとき、ＶＣＯ２２は受信電界強度を示す電圧値に応じた周波数の音響信号を出力し、ＰＬＬ２０が作動状態であるのでＶＣＯ２２とＶＣＯ２４とで出力される音響信号の周波数は等しい。そして、その周波数の発振音がスピーカ１８から出力される。作業者はこの発振音を聞き、発振音の周波数が最も高い（または最も低い）方向に向けてアンテナ１２の方向を調整する。ただし、発振音の周波数の高低を判断するだけでは、受信電界強度が最大となるアンテナ１２の方向を精度よく探し出すことは難しい。
【００１７】
次に、アンテナ１２が所定方向のときにスイッチ３２を非導通にする。ここでの所定方向は、例えば作業者が発振音の周波数の高低から受信電界強度が略最大と推測した方向から少しずらした方向とする。スイッチ３２が非導通のときのＶＣＯ２４から出力される音響信号の周波数については、ＰＬＬ２０が非作動状態であるのでアンテナ１２が所定方向のときにＶＣＯ２２が出力した音響信号の周波数に固定される。そして、アンテナ１２の方向をこの所定方向から左右に変化させると、ＶＣＯ２２とＶＣＯ２４とで出力される音響信号の周波数が異なってくるため、スピーカ１８からはうなり音が発生する。ここで、うなり音の周波数はＶＣＯ２２とＶＣＯ２４から出力される音響信号の周波数の差である。作業者はアンテナ１２の方向を左右に変化させ、前述の所定方向以外にうなり音が略発生しないアンテナ１２の方向を探し出す。このとき、うなり音の周波数の高低を作業者が聞き分けることは容易である。そして、うなり音が略発生しないアンテナ１２の方向を探し出した後は、所定方向と前述のうなり音が略発生しない方向との中央方向を左右方向に関して受信電界強度が最大となる方向と判断してアンテナ１２の方向を調整する。次に、上下方向について調整を行うが、上下方向についても左右方向と同様の方法で調整することができる。また、上下方向→左右方向の順に調整を行ってもよい。
【００１８】
本実施形態においては、まずＶＣＯ２４から出力する音響信号の周波数をアンテナ１２が所定方向のときにＶＣＯ２２が出力した音響信号の周波数で固定した状態でアンテナ１２の方向を変化させ、うなり音が略発生しないアンテナ１２の方向を探し出す。そして、所定方向とうなり音が略発生しない方向との中央方向を受信電界強度が最大となる方向としてアンテナ１２の方向を調整している。ここで、うなり音の周波数の高低については作業者が耳で正確に判断することができる。例えば人間の耳は１０００Ｈｚと１００１Ｈｚの音の高低を聞き分けることは困難であるが、１Ｈｚのうなり音を聞き分けることは容易であり、０．１Ｈｚ程度までの周波数分解能は容易に確保できる。したがって、受信電界強度が最大となるアンテナ１２の方向を容易、迅速かつ精度よく探し出すことができる。
【００１９】
さらに本実施形態においては、ＶＣＯ２４から出力する音響信号の周波数をアンテナ１２が所定方向のときにＶＣＯ２２が出力した音響信号の周波数に固定するために、ＰＬＬ２０を作動状態から非作動状態に切り換えることで実現している。ここで、ＶＣＯ２２，２４については回路を構成する素子にばらつきがあるため、同一の電圧値を入力しても出力信号の周波数が必ずしも一致するとは限らない。しかし本実施形態では、ＰＬＬ２０を用いることで、回路のばらつきに関係なくＶＣＯ２４の出力信号の周波数をＶＣＯ２２の出力信号の周波数に精度よく一致させることができる。そして、ＰＬＬ２０を作動状態から非作動状態に切り換えることで、ＶＣＯ２４から出力する音響信号の周波数をアンテナ１２が所定方向のときにＶＣＯ２２が出力した音響信号の周波数に精度よく一致させることができる。したがって、受信電界強度が最大となるアンテナ１２の方向をさらに精度よく探し出すことができる。
【００２０】
また本実施形態においては、図２に示すように、スイッチ３２の代わりに位相比較器２８の入力の一方と接続するＶＣＯ２２，２４を切り換えるスイッチ３８を設けてもよい。ここで、位相比較器２８の入力の他方はＶＣＯ２４の出力と接続されている。スイッチ３８によってＶＣＯ２２の出力が位相比較器２８の入力の一方と接続されている場合は、ＶＣＯ２２とＶＣＯ２４とで出力信号の周波数差がなくなるようにＶＣＯ２４への入力電圧が制御され、ＰＬＬ２０からはＶＣＯ２２が出力する音響信号と同一の周波数の音響信号が出力される。そして、ＶＣＯ２４の出力が位相比較器２８の入力の一方と接続されるようにスイッチ３８を切り換えた場合は、位相比較器２８は位相差０の信号を出力するため、ＶＣＯ２４から出力される音響信号の周波数はスイッチ３８の切り換え時における周波数に固定される。なお、ＰＬＬ２０が非作動状態とは、この状態のときも含むものとする。
【００２１】
（２）第２実施形態
図３は、本発明の第２実施形態に係るアンテナ方向調整器１０を含む全体構成を示すブロック図である。本実施形態においては、ＶＣＯ２２の入力側にピークホールド手段４０が設けられている。ピークホールド手段４０は、作動時には、受信電界強度を示す電圧のピーク値を保持してＶＣＯ２２へ出力する。一方、非作動時には、現時点での受信電界強度を示す電圧値をＶＣＯ２２へ出力する。ここで、ピークホールド手段４０の作動／非作動は外部からの制御信号によって切り換え可能である。他の構成については第１実施形態と同様であるため説明を省略する。
【００２２】
次に本実施形態の動作について説明する。まずスイッチ３２を導通とし、かつピークホールド手段４０を作動させてアンテナ１２の方向を左右のいずれか一方向に変化させる。このとき、ＶＣＯ２２は受信電界強度を示す電圧のピーク値に応じた周波数の音響信号を出力し、ＰＬＬ２０が作動状態であるのでＶＣＯ２２とＶＣＯ２４とで出力される音響信号の周波数は等しい。そして、その周波数の発振音がスピーカ１８から出力される。ここで、アンテナ１２の方向が受信電界強度が最大となる方向を通過した後は、ピークホールド手段４０の作用によりアンテナ１２の方向が変化しても発振音の周波数は変化しなくなる。作業者は発振音の周波数が変化しなくなったと判断すると、スイッチ３２を非導通に切り換えてＶＣＯ２４から出力される音響信号の周波数を受信電界強度が最大となるアンテナ１２の方向における周波数に固定した後、ピークホールド手段４０を非作動に切り換える。
【００２３】
ピークホールド手段４０を非作動に切り換えた後は、ＶＣＯ２２は現時点での受信電界強度を示す電圧値に応じた周波数の音響信号を出力する。したがって、ＶＣＯ２２とＶＣＯ２４とで出力される音響信号の周波数は異なり、スピーカ１８からはうなり音が発生する。作業者は、このうなり音を聞き、アンテナ１２の方向を逆方向に変化させてうなり音が略発生しない方向を探し出す。このとき、うなり音の周波数の高低を作業者が聞き分けることは容易である。ここで、ピークホールド手段４０の作用により、うなり音が発生しない方向は受信電界強度が最大となる方向と一致するので、うなり音が略発生しない方向にアンテナ１２の方向を調整する。次に、上下方向について調整を行うが、上下方向についても左右方向と同様の方法で調整することができる。また第１実施形態と同様に、上下方向→左右方向の順に調整を行ってもよい。
【００２４】
本実施形態においては、まずＶＣＯ２４から出力される音響信号の周波数が、ピークホールド手段４０及びＰＬＬ２０によって、受信電界強度が最大となる方向における周波数に制御され、スイッチ３２及びコンデンサ３６によって受信電界強度が最大となる方向における周波数に固定される。そして、その状態でアンテナ１２の方向を変化させてうなり音が略発生しないアンテナ１２の方向を探し出すことでアンテナ１２の方向を調整している。ここで、うなり音の周波数の高低については作業者が耳で正確に判断することができる。さらに、うなり音が発生しない方向と受信電界強度が最大となる方向とが一致しているので、本実施形態では受信電界強度が最大となるアンテナ１２の方向をさらに精度よく探し出すことができる。
【００２５】
本実施形態においても、第１実施形態における図１と図２の関係と同様に、スイッチ３２の代わりに位相比較器２８の入力の一方と接続するＶＣＯ２２，２４を切り換えるスイッチを設けてもよい。
【００２６】
（３）第３実施形態
図４は、本発明の第３実施形態に係るアンテナ方向調整器１０を含む全体構成を示すブロック図である。本実施形態においては、無線機１４の出力にＡ／Ｄ変換器４２が設けられ、加算器２６の出力にＤ／Ａ変換器４４が設けられ、Ａ／Ｄ変換器４２〜Ｄ／Ａ変換器４４間の回路はディジタル回路によって構成されている。Ａ／Ｄ変換器４２にてディジタル信号に変換された受信電界強度を示す電圧値は、ＶＣＯ２２及び記憶手段４６に入力される。記憶手段４６はこの電圧値を記憶する。記憶手段４６から出力された電圧値はＶＣＯ２４に入力される。ここで、記憶手段４６から出力される電圧値については後述する。ＶＣＯ２２，２４は入力された電圧値に応じた周波数の音響信号を加算器２６へ出力する。この音響信号はＤ／Ａ変換器４４にてアナログ信号に変換されてスピーカ１８から発振音として出力される。このように本実施形態では第１，２実施形態と比較してＰＬＬ２０が除かれている。他の構成については第１実施形態と同様であるため説明を省略する。
【００２７】
なお、記憶手段４６から出力されＶＣＯ２４に入力される電圧値については、現時点での入力電圧値またはアンテナ１２の所定方向のときの電圧値のいずれかが選択される。そして、この電圧値の選択は外部からの制御信号によって制御される。この場合のアンテナ方向調整の動作については、アンテナ１２が所定方向のときに、記憶手段４６からの出力が所定方向のときの電圧値に固定されるように制御信号によって切り換える。そして、この所定方向とうなり音が略発生しない方向との中央方向を受信電界強度が最大となる方向としてアンテナ１２の方向を調整する。
【００２８】
さらに、記憶手段４６については、入力電圧のピーク値を記憶し、電圧のピーク値をＶＣＯ２４へ出力する構成にしてもよい。この場合のアンテナ方向調整の動作については、うなり音が略発生しない方向にアンテナ１２の方向を調整する。この場合は、第２実施形態において必要であったスイッチの導通／非導通の切り換え、ピークホールド手段の作動／非作動の切り換えが不要となる。
【００２９】
本実施形態においても、受信電界強度が最大となるアンテナ１２の方向を容易、迅速かつ精度よく探し出すことができる。さらに本実施形態においては、ＶＣＯ２２及びＶＣＯ２４がディジタル回路によって構成されているので、回路ばらつきをなくすことができ、第１，２実施形態におけるＰＬＬ２０を除くことができる。また、受信電界強度を示す電圧値を記憶手段４６に記憶することで、ＶＣＯ２４が出力する音響信号の周波数を容易かつ精度よく固定できる。したがって、受信電界強度が最大となるアンテナ１２の方向をさらに精度よく探し出すことができる。
【００３０】
また本実施形態においては、図５に示すようにＤ／Ａ変換器４４を省略することもできる。Ｄ／Ａ変換器４４を省略した場合は、加算器２６に入力される信号はＨＩＧＨレベルまたはＬＯＷレベルを交互に繰り返す矩形波信号となり、その周期が受信電界強度を示す電圧値に応じて変化する。
【図面の簡単な説明】
【図１】本発明の第１実施形態に係るアンテナ方向調整器を含む全体構成を示すブロック図である。
【図２】本発明の第１実施形態の変形例に係るアンテナ方向調整器を含む全体構成を示すブロック図である。
【図３】本発明の第２実施形態に係るアンテナ方向調整器を含む全体構成を示すブロック図である。
【図４】本発明の第３実施形態に係るアンテナ方向調整器を含む全体構成を示すブロック図である。
【図５】本発明の第３実施形態の変形例に係るアンテナ方向調整器を含む全体構成を示すブロック図である。
【符号の説明】
１０　アンテナ方向調整器、１２　アンテナ、１４　無線機、１８　スピーカ、２０　ＰＬＬ、２２，２４　ＶＣＯ、２８　位相比較器、３２，３８　スイッチ、３６　コンデンサ、４０　ピークホールド手段、４６　記憶手段。
【図１】
2004015503.tif 000003
【図２】
2004015503.tif 000004
【図３】
2004015503.tif 000005
【図４】
2004015503.tif 000006
【図５】
2004015503.tif 000007